(57)【要約】【課題】過去に印刷した画像処理装置が配置してあるロケーションと異なるロケーションへ出向いた場合でも、過去の印刷データを再度印刷することができる。【解決手段】クラウドストレージ２００と各ロケーションに配置された画像処理装置３１０をネットワーク１００を介して接続して印刷を行う画像処理システムにおいて、画像処理装置３１０は、クラウドストレージ２００から受信した履歴一覧に基づき過去の印刷データを選択可能に表示し、選択された印刷データを印刷したときにその印刷履歴をクラウドストレージ２００に送信する。クラウドストレージ２００は、画像処理装置３１０から送信されてくる印刷履歴を過去の印刷履歴として印刷データとともに保存し、保存した印刷履歴及び印刷データから履歴一覧を作成して画像処理装置３１０に送信する。【選択図】図１
2017076244.tif 000002
【特許請求の範囲】
【請求項１】
クラウドストレージとネットワークを介して接続された画像処理装置が印刷を行う画像処理システムであって、
前記クラウドストレージは、前記画像処理装置が過去に印刷を行った画像の出力品位を含む印刷履歴及び印刷データを格納し、
前記画像処理装置は、前記クラウドストレージが格納する前記印刷履歴及び前記印刷データに基づいて印刷を行うことを特徴とする画像処理システム。
【請求項２】
前記印刷履歴は、ユーザが過去に印刷を行った前記画像処理装置の装置固有の情報、印刷を行った年月日を示す印刷日情報、前記画像処理装置の設定内容に基づく前記画像の出力品位を含むことを特徴とする請求項１記載の画像処理システム。
【請求項３】
前記画像処理装置は、前記クラウドストレージから過去の前記印刷履歴及び前記印刷データを受信する送受信手段と、
前記送受信手段により受信した前記印刷履歴及び前記印刷データを選択可能に表示するユーザ操作手段と、
選択された前記印刷データを設定された前記設定内容に基づいて印刷する印刷手段を備えたことを特徴とする請求項２記載の画像処理システム。
【請求項４】
前記クラウドストレージは、前記印刷履歴及び前記印刷データを格納する印刷履歴格納部を有し、
前記印刷履歴格納部は、前記印刷履歴及び前記印刷データをユーザＩＤごとに保存し、
前記印刷履歴は、前記画像処理装置の装置固有の情報、印刷日情報、印刷設定項目の前記設定内容、前記設定内容ごとにその効果をあらかじめ定めた前記出力品位の合計値を含むことを特徴とする請求項３記載の画像処理システム。
【請求項５】
前記装置固有の情報は、装置ＩＤ及び装置が配置されているロケーションを含むことを特徴とする請求項４記載の画像処理システム。
【請求項６】
前記印刷設定項目は、画像の印刷品位、特色トナー、用紙の種類及び画像処理効果のいずれか一又は複数であり、
前記画像の印刷品位の前記設定内容は、多諧調印刷、きれい、ふつう、粗いのいずれか一であり、前記用紙の種類の前記設定内容は、普通紙、上質紙、光沢紙のいずれか一であり、前記画像処理効果の前記設定内容は、標準、人物補正、風景補正、鮮やか、セピア、モノクロームのいずれか一であることを特徴とする請求項４記載の画像処理システム。
【請求項７】
前記ユーザ操作手段に表示する前記印刷履歴には、前記印刷データとともに、
前記画像処理装置で印刷することにより、前記出力品位の合計値の向上が見込まれる場合は、向上する前記出力品位の合計値を含むことを特徴とする請求項４記載の画像処理システム。
【請求項８】
前記ユーザ操作手段には、前記印刷設定項目の前記設定内容に基づいて印刷することにより、前記出力品位の合計値が向上する幅が大きい前記印刷履歴を優先し、順番に前記印刷履歴を表示することを特徴とする請求項７記載の画像処理システム。
【請求項９】
前記ユーザ操作手段には、前記印刷履歴の前記印刷日情報に基づき、印刷日の新しい順に前記印刷履歴を表示することを特徴とする請求項４記載の画像処理システム。
【請求項１０】
前記ユーザ操作手段には、
前記画像処理装置で印刷することにより、前記出力品位の合計値の向上が見込まれる場合の前記出力品位の合計値が向上する幅が大きい順又は印刷日の新しい順に前記印刷履歴を選択可能に表示することを特徴とする請求項４記載の画像処理システム。
【請求項１１】
クラウドストレージとネットワークを介して接続されて印刷を行う画像処理装置であって、
前記クラウドストレージに格納された過去に印刷を行った画像の出力品位を含む印刷履歴及び印刷データを受信する送受信手段と、
前記送受信手段によって受信した前記印刷履歴及び前記印刷データに基づいて印刷を行う印刷実行手段を有することを特徴とする画像処理装置。
【請求項１２】
前記印刷履歴は、ユーザが過去に印刷を行った前記画像処理装置の装置固有の情報、印刷を行った年月日を示す印刷日情報、前記画像処理装置の設定内容に基づく前記画像の出力品位を含むことを特徴とする請求項１１記載の画像処理装置。
【請求項１３】
更に、前記送受信手段により受信した前記印刷履歴及び前記印刷データを選択可能に表示するとともに前記設定内容を設定可能に表示するユーザ操作手段を有し、
前記印刷実行手段は、選択された前記印刷データを設定された前記設定内容に基づいて印刷することを特徴とする請求項１２記載の画像処理装置。
【請求項１４】
前記クラウドストレージは、前記印刷履歴及び前記印刷データを格納する印刷履歴格納部を有し、
前記印刷履歴格納部は、前記印刷履歴及び前記印刷データをユーザＩＤごとに保存し、
前記印刷履歴は、前記画像処理装置の装置固有の情報、印刷日情報、印刷設定項目の前記設定内容、前記設定内容ごとにその効果をあらかじめ定めた前記出力品位の合計値を含むことを特徴とする請求項１３記載の画像処理装置。
【請求項１５】
前記装置固有の情報は、装置ＩＤ及び装置が配置されているロケーションを含むことを特徴とする請求項１４記載の画像処理装置。
【請求項１６】
前記印刷設定項目は、画像の印刷品位、特色トナー、用紙の種類及び画像処理効果のいずれか一又は複数であり、
前記画像の印刷品位の前記設定内容は、多諧調印刷、きれい、ふつう、粗いのいずれか一であり、前記用紙の種類の前記設定内容は、普通紙、上質紙、光沢紙のいずれか一であり、前記画像処理効果の前記設定内容は、標準、人物補正、風景補正、鮮やか、セピア、モノクロームのいずれか一であることを特徴とする請求項１４記載の画像処理装置。
【請求項１７】
前記ユーザ操作手段に表示する前記印刷履歴には、前記印刷データとともに、
前記画像処理装置で印刷することにより、前記出力品位の合計値の向上が見込まれる場合は、向上する前記出力品位の合計値を含むことを特徴とする請求項１４記載の画像処理装置。
【請求項１８】
前記ユーザ操作手段には、前記印刷設定項目の前記設定内容に基づいて印刷することにより、前記出力品位の合計値が向上する幅が大きい前記印刷履歴を優先し、順番に前記印刷履歴を表示することを特徴とする請求項１７記載の画像処理装置。
【請求項１９】
前記ユーザ操作手段には、前記印刷履歴の前記印刷日情報に基づき、印刷日の新しい順に前記印刷履歴を表示することを特徴とする請求項１４記載の画像処理装置。
【請求項２０】
前記ユーザ操作手段には、
前記画像処理装置で印刷することにより、前記出力品位の合計値の向上が見込まれる場合の前記出力品位の合計値が向上する幅が大きい順又は印刷日の新しい順に前記印刷履歴を選択可能に表示することを特徴とする請求項１４記載の画像処理装置。
【請求項２１】
前記ユーザ操作手段は、前記印刷実行手段による印刷実行後、印刷に係わる前記印刷履歴及び前記印刷データを前記クラウドストレージに保存するか否かを選択可能に表示し、
前記送受信手段は、前記クラウドストレージに保存することの選択があったとき、前記印刷履歴及び前記印刷データを前記クラウドストレージへ送信することを特徴とする請求項１３記載の画像処理装置。
【請求項２２】
前記ユーザ操作手段は、
前記印刷履歴格納部に格納された前記印刷履歴及び前記印刷データに基づく第１の印刷プレビューと、
前記印刷設定項目の前記設定内容に基づく第２の印刷プレビューを選択可能に表示することを特徴とする請求項１３記載の画像処理装置。
【請求項２３】
クラウドストレージとネットワークを介して接続された画像処理装置により印刷を行う画像処理装置の画像処理方法であって、
前記クラウドストレージに対し、ユーザ認証を行うユーザ認証工程と、
前記クラウドストレージに対し、装置の固有の情報及び設定可能な印刷設定情報を含む装置情報を送受信手段より送信する装置情報送信工程と、
前記クラウドストレージに格納された印刷履歴及び印刷データから所望の印刷データを検索する検索条件を送信する検索条件送信工程と、
前記クラウドストレージから前記検索条件に適合した前記印刷履歴及び前記印刷データを前記送受信手段により受信する履歴一覧受信工程と、
受信した前記印刷履歴及び前記印刷データを画面表示部に選択可能に表示するとともに画像の出力品位の合計値を表示する履歴一覧表示工程と、
ユーザが前記履歴一覧表示工程により選択された印刷データを受信する印刷データ選択工程と、
前記印刷データ選択工程によって受信した印刷データに基づいて印刷を実行する印刷実行工程含むことを特徴とする画像処理装置の画像処理方法。
【発明の詳細な説明】
【技術分野】
【０００１】
本発明は、ネットワークを介して接続された画像処理装置によって印刷を行う画像処理システム及び画像処理装置に関するものである。
【背景技術】
【０００２】
近年、デジタルカメラ、携帯情報端末、携帯電話等の普及により、ユーザがこれらの機器を用いて多くの写真を撮影し、これらの機器を写真印刷サービスを行う店舗に持って行き、撮影した写真データの中から所望の写真データを選択して印刷するニーズが拡大傾向にある。
この写真印刷サービスでは、デジタルカメラ、携帯情報端末、携帯電話等に保存された写真データを有線インタフェース又は無線インタフェースを介して店舗に配置した画像処理装置に送信する。そして、ユーザ自身が操作画面を見ながら所望の写真データを選択して印刷できるようになっている（例えば、特開２０１２−６３８００号公報（特許文献１）参照）。
【先行技術文献】
【特許文献】
【０００３】
【特許文献１】特開２０１２−６３８００号公報
【発明の概要】
【発明が解決しようとする課題】
【０００４】
しかしながら、上記の構成の画像処理システムでは、過去に印刷した店舗と異なる店舗へ出向いた場合では、過去に印刷した写真データを持参していないために再度印刷することができなかった。また、過去の印刷よりも高品位に印刷できる場合でも、そのまま印刷していた。
【０００５】
本発明が解決しようとする課題は、過去に印刷した店舗と異なる店舗へ出向いた場合、過去に印刷した写真データを持参していなくても再度印刷することを可能とする画像処理システムを提供することにある。また、過去の印刷よりも高品位に印刷することを可能とする画像処理システムを提供することにある。
【課題を解決するための手段】
【０００６】
上記課題を解決するために本発明に関する画像処理システムは、クラウドストレージとネットワークを介して接続された画像処理装置が印刷を行う画像処理システムであって、前記クラウドストレージは、前記画像処理装置が過去に印刷を行った画像の出力品位を含む印刷履歴及び印刷データを格納し、前記画像処理装置は、前記クラウドストレージが格納する前記印刷履歴及び前記印刷データに基づいて印刷を行うことを特徴とするものである。
【発明の効果】
【０００７】
本発明によれば、クラウドストレージに画像処理装置が過去に印刷した画像の印刷履歴及び印刷データを格納したので、過去に印刷した写真データを画像処理装置に持参していなくても、過去に印刷した写真を再度印刷することができる。更に、前記クラウドストレージが格納する前記印刷履歴には、過去に印刷を行った画像の出力品位が含まれているため、ユーザはこれを参考に印刷データを選択することができるので、今回の画像処理装置の性能、機能を把握していないユーザでも、過去の印刷よりも高品位に印刷することができるという効果を有する。
【図面の簡単な説明】
【０００８】
【図１】第１の実施の形態に関する画像処理システムの構成図である。
【図２】第１の実施の形態に関する画像処理装置の外観図である。
【図３】第１の実施の形態に関する画像処理装置のブロック図である。
【図４】第１の実施の形態に関するクラウドストレージのブロック図である。
【図５】第１の実施の形態に関するユーザ情報の構成の説明図である。
【図６】第１の実施の形態に関する装置管理情報を示す説明図である。
【図７】第１の実施の形態に関する印刷履歴管理情報の構成の説明図である。
【図８】第１の実施の形態に関するユーザの印刷履歴の説明図である。
【図９】第１の実施の形態に関する画像処理システムの動作フローチャートである。
【図１０】第１の実施の形態に関するユーザ認証ダイアログボックスの画面例の説明図である。
【図１１】第１の実施の形態に関する印刷データ選択ダイアログボックスの画面例の説明図である。
【図１２】第１の実施の形態に関する印刷データ選択ダイアログボックスの画面例の説明図である。
【図１３】第１の実施の形態に関する印刷データ選択ダイアログボックスの画面例の説明図である。
【図１４】第１の実施の形態に関する外部装置を接続するときのガイダンスの表示例の説明図である。
【図１５】第１の実施の形態に関する印刷設定ダイアログボックスの画面例の説明図である。
【図１６】第１の実施の形態に関する印刷設定ダイアログボックスの人物補正の選択画面例の説明図である。
【図１７】第１の実施の形態に関する印刷設定ダイアログボックスの風景補正の選択画面例の説明図である。
【図１８】第１の実施の形態に関するプレビューダイアログボックスの画面例の説明図である。
【図１９】第１の実施の形態に関する印刷履歴の送信選択のガイダンスの表示例の説明図である。
【図２０】第１の実施の形態に関するユーザ登録ダイアログボックスの画面例の説明図である。
【発明を実施するための形態】
【０００９】
（第１の実施の形態）
以下に本発明を実施するための最良の形態である第１の実施の形態を説明する。各図面に共通な要素には同一の符号を付す。以下、第１の実施の形態の画像処理システム及び画像処理装置の構成を説明する。尚、以下の説明では、写真データを印刷データとした例を説明するが、写真データでなくともよい。また、以下の説明では、印刷装置を画像処理装置の例として説明するが、多機能プリンタであってもよい。
【００１０】
図１は、第１の実施の形態に関する画像処理システムの構成図である。第１の実施の形態に関する画像処理システム１０００は、遠隔地にあるクラウドストレージ２００とネットワーク１００を介して接続された画像処理装置３１０によって印刷を行うためのシステムである。画像処理システム１０００は、クラウドストレージ２００と、各店舗としてのロケーション３００に配置される画像処理装置３１０と、クラウドストレージ２００と各ロケーション３００の画像処理装置３１０を接続するネットワーク１００により構成される。
【００１１】
クラウドストレージ２００は遠隔地に配置され、後述するユーザ情報、装置情報及び過去に行った印刷の印刷履歴を格納する。そして、クラウドストレージ２００は、これらの情報を画像処理装置３１０に送信するとともに、画像処理装置３１０からこれらの情報を受信し、格納する。店舗としてのロケーション３００には一台の画像処理装置３１０が配置されるが、複数の画像処理装置３１０を配置した構成としてもよい。画像処理装置３１０は、クラウドストレージ２００に格納された印刷データを遠隔地において印刷可能とするものである。
【００１２】
図２は、第１の実施の形態に関する画像処理装置の外観図である。画像処理装置３１０は、各店舗としてのロケーション３００に配置され、ユーザの操作によって動作する。画像処理装置３１０は、後述する印刷実行部３１７を内蔵するとともに、ユーザへのガイダンスの表示及び操作入力を行うユーザ操作手段としてのユーザ操作部３２１と、その近傍にデジタルカメラ、携帯情報端末、携帯電話等の図示しない外部装置から写真データを印刷データとして取り込むための外部ストレージインタフェース３１１と、ＬＡＮケーブル等でネットワーク１００に接続されネットワーク１００とのデータ送受信を行う送受信手段としての通信インタフェース３１２を備える。
【００１３】
ユーザ操作手段としてのユーザ操作部３２１は、ＬＣＤパネル上に透明タッチパネルを積層した操作部であり、ＬＣＤパネルに表示される操作画面上に設けられた透明タッチパネルに対しユーザが操作入力を行うものである。
尚、店舗に配置される画像処理装置３１０では、その近傍に印刷を行ったときの代金を支払うための課金ユニット３５０が配置されるのが一般的であるが、課金ユニット３５０は本発明には直接関係しないため、簡略化のためにその説明は省略する。
【００１４】
図３は、第１の実施の形態に関する画像処理装置のブロック図である。第１の実施の形態に関する画像処理装置３１０は、外部装置から印刷データを取り込むための外部ストレージインタフェース３１１と、ネットワーク１００とのデータ送受信を行うための送受信手段としての通信インタフェース３１２と、当該画像処理装置３１０の後述する装置固有の情報１３１１並びに当該画像処理装置３１０の後述する設定可能な印刷設定項目１３１２からなる装置情報１３１０を記憶するための装置情報記憶部３１３を有する。
【００１５】
図６において後述するように、装置固有の情報１３１１は、画像処理装置３１０を識別するための装置ＩＤと、画像処理装置３１０の機種名としてのプリンタ情報と、画像処理装置３１０の配置場所を示すロケーション３００とからなる。設定可能な印刷設定項目１３１２は、その画像処理装置３１０に対して設定可能な「印刷品位」等の項目である。
印刷設定項目１３１２には、設定内容１３１３が含まれる。例えば印刷設定項目１３１２としての「印刷品位」の設定内容１３１３は、「多諧調印刷、きれい、ふつう、粗い」のいずれかである。そして、このそれぞれの設定内容１３１３は、出力品位１３１４の数値を含む。出力品位１３１４の数値は、合計されて出力品位１３１４の合計値となる。
【００１６】
ここで、上記出力品位１３１４は、画像処理装置３１０の解像度や諧調数等の印刷品位、使用可能な用紙種類、特色トナーの有無、風景・人物補正等の画像処理機能の有無に応じて、印刷出力画像の綺麗さへの効果をあらかじめ定めた数値である。従って、印刷出力画像が綺麗になるものほど、出力品位１３１４の数値（合計値）は高い値となる。
この装置情報記憶部３１３に記憶される装置情報１３１０は、後述する図６に示すクラウドストレージ２００の装置情報格納部２４０に格納される装置情報１３１０と同様の内容となる。
【００１７】
更に、第１の実施の形態に関する画像処理装置３１０は、ユーザ操作手段としてのユーザ操作部３２１に対し操作画面の表示を行う画面表示部３１５と、ユーザ操作部３２１によって印刷データの選択及び印刷設定を行う画面操作部３１６と、選択された印刷データを設定された印刷設定に基づいて印刷実行する印刷実行部３１７と、画像処理装置３１０全体の制御を行う制御部３２０を備える。
外部ストレージインタフェース３１１は、印刷データを保持する携帯情報端末、携帯電話及びデジタルカメラ等の図示しない外部装置を接続するためのインタフェースであり、ＵＳＢ（Universal Serial Bus）に代表される有線接続であってもよいし、Bluetooth(登録商標）に代表される無線接続等のインタフェース形態であってもよい。
【００１８】
また、画面表示部３１５は、ユーザ操作手段としてのユーザ操作部３２１を用いて、後述するユーザ認証ダイアログボックス８００、印刷データ選択ダイアログボックス５００、プレビューダイアログボックス６００及び印刷設定ダイアログボックス７００の操作画面を表示し、クラウドストレージ２００から受信する後述する履歴一覧等を表示する。また、画面操作部３１６は、ユーザ操作部３２１によって表示された印刷データ選択ダイアログボックス５００、プレビューダイアログボックス６００及び印刷設定ダイアログボックス７００から印刷データの選択及び印刷設定を受付ける。
【００１９】
図４は、第１の実施の形態に関するクラウドストレージのブロック図である。クラウドストレージ２００は、過去の印刷履歴１２１０及び印刷データ１２２０を格納するとともに、画像処理装置３１０が印刷を実行したときには、その都度受信し、過去の印刷履歴１２１０及び印刷データ１２２０として格納する。そのためクラウドストレージ２００は、ネットワーク１００からのデータ送受信を行うための送受信手段としての通信インタフェース２２０と、ユーザ認証を行うためのユーザＩＤ及びパスワードを保存するユーザ情報格納部２３０と、これまでに印刷に使用された各ロケーション３００の画像処理装置３１０について後述する装置情報を保存する装置情報格納部２４０と、各ロケーション３００の画像処理装置３１０から送信されてくる後述する印刷履歴及び印刷データを過去の印刷履歴及び印刷データとして保存する印刷履歴格納部２５０と、これらの各部を制御するストレージ制御部２１０を備える。
【００２０】
ユーザ情報格納部２３０は、ユーザ情報１４００を保存するものである。図５は、第１の実施の形態に関するユーザ情報の構成の説明図である。ユーザ情報１４００は、ユーザＩＤ１４１０とパスワード１４２０からなり、これらが対応付けられた構成となっている。そして、後述するユーザ登録のあった全てのユーザのユーザ情報が、ユーザ認証の際に参照されるユーザ情報１４００としてユーザ情報格納部２３０に保存される。
【００２１】
装置情報格納部２４０は、各画像処理装置３１０の装置固有の情報１３１１及び設定可能な印刷設定項目１３１２からなる装置情報１３１０を管理し、装置管理情報１３００として保存するものである。図６は、第１の実施の形態に関する装置管理情報を示す説明図である。
【００２２】
装置情報１３１０の装置固有の情報１３１１は、画像処理装置３１０を識別するための装置ＩＤと、画像処理装置３１０の機種名としてのプリンタ情報と、画像処理装置３１０の配置場所を示すロケーション３００から構成される。
装置情報１３１０の設定可能な印刷設定項目１３１２は、後述するように複数の印刷設定項目１３１２からなる。そして、この印刷設定項目１３１２ごとの設定内容１３１３には、その効果を数値によってあらかじめ定めた出力品位１３１４の数値を含む。
【００２３】
図６に示す例では、装置情報（ａ）は、装置ＩＤが「EC44F8BB-66AE」、機種名としてのプリンタ情報が「C6666」、ロケーション３００が「芝浦」の画像処理装置３１０である。装置情報（ｂ）は、装置ＩＤが「48A864B5-805A」、機種名としてのプリンタ情報が「C4444」、ロケーション３００が「高崎」の画像処理装置３１０である。装置情報（ｃ）は、装置ＩＤが「614A4721-C679」、機種名としてのプリンタ情報が「C3333」、ロケーション３００が「福島」の画像処理装置３１０である。これらは、これまでに印刷に使用された例となっている。
【００２４】
装置情報（ａ）には、この画像処理装置３１０において設定可能な印刷設定項目１３１２の一つとして印刷品位があり、その設定内容１３１３が「多諧調印刷、きれい、ふつう、粗い」のいずれかであり、それぞれ設定した場合の出力品位１３１４が「多諧調印刷」では「７０」、「きれい」では「６０」、「ふつう」では「４０」、「粗い」では「２０」であることが保存されている。
更に、設定可能な印刷設定項目１３１２として特色トナーがあり、その設定内容１３１３が「クリアトナー」であり、「クリアトナー」を設定した場合の出力品位１３１４が「２５」であることが保存されている。
【００２５】
更に、設定可能な印刷設定項目１３１２として「用紙種類」があり、その設定内容１３１３が「普通紙、上質紙、光沢紙」のいずれかであり、それぞれ設定した場合の出力品位１３１４が「普通紙」では「１０」、「上質紙」では「２０」、「光沢紙」では「３５」 であることが保存されている。
更に、設定可能な印刷設定項目１３１２として「画像処理効果」があり、その設定内容１３１３が「標準、人物補正、風景補正、鮮やか」のいずれかであり、それぞれ設定した場合の出力品位１３１４が「標準」では「０」、「人物補正」では「５」、「風景補正」では「４」、「鮮やか」では「３」 であることが保存されている。
【００２６】
更に、装置情報（ｂ）には、この画像処理装置３１０において設定可能な印刷設定項目１３１２の一つとして印刷品位があり、その設定内容１３１３が「多諧調印刷、きれい、ふつう、粗い」のいずれかであり、それぞれ設定した場合の出力品位１３１４が「多諧調印刷」では「６０」、「きれい」では「４０」、「ふつう」では「３０」、「粗い」では「２０」であることが保存されている。
ここで、上記のように、設定内容１３１３が同じ「多諧調印刷」でも装置情報（ａ）では出力品位１３１４が「７０」であるのに対し、装置情報（ｂ）では出力品位１３１４が「６０」で異なる数値として保存されている。これは、装置情報（ａ）の機種が高機能・高性能な機種である場合では、装置情報（ｂ）の機種より出力品位１３１４を高く設定すべきであるためである。
【００２７】
更に、設定可能な印刷設定項目１３１２として特色トナーがあり、その設定内容１３１３が「クリアトナー」であり、「クリアトナー」を設定した場合の出力品位１３１４が「２５」であることが保存されている。
更に、設定可能な印刷設定項目１３１２として「用紙種類」があり、その設定内容１３１３が「普通紙、上質紙、光沢紙」のいずれかであり、それぞれ設定した場合の出力品位１３１４が「普通紙」では「１０」、「上質紙」では「２０」、「光沢紙」では「３５」 であることが保存されている。
更に、設定可能な印刷設定項目１３１２として「画像処理効果」があり、その設定内容１３１３が「標準、人物補正、風景補正、鮮やか、セピア、モノクローム」のいずれかであり、それぞれ設定した場合の出力品位１３１４が「標準」では「０」、「人物補正」では「１０」、「風景補正」では「８」、「鮮やか」では「６」、「セピア」では「５」、「モノクローム」では「４」 であることが保存されている。
【００２８】
更に、装置情報（ｃ）は、設定可能な印刷設定項目１３１２としては特色トナーがあるが、この画像処理装置３１０では設定可能な特色トナーがない旨が保存されている。
更に、設定可能な印刷設定項目１３１２としての「画像処理効果」の出力品位１３１４が、「標準」では「０」、「人物補正」では「５」、「風景補正」では「４」、「鮮やか」では「３」 であることが保存されている。その他の設定可能な印刷設定項目１３１２は、装置情報（ａ）装置情報（ｂ）と同様であるので説明を省略する。
このように、これまでに印刷に使用された画像処理装置３１０ごとの装置情報１３１０が、装置管理情報１３００として装置情報格納部２４０に保存される構成となっている。
【００２９】
図４に戻り、更に、印刷履歴格納部２５０は、過去の印刷履歴１２１０及び印刷データ１２２０をユーザＩＤごとに管理し、印刷履歴管理情報１２００として保存する格納部である。
図７は、第１の実施の形態に関する印刷履歴管理情報の構成の説明図である。印刷履歴管理情報１２００は、ユーザＩＤごとに、過去に印刷を行った画像の印刷履歴１２１０と印刷データ１２２０を対応させて保存する構成となっている。印刷履歴１２１０は次に説明するように印刷が行われた過去における画像処理装置３１０等の装置固有の情報１３１１、印刷日情報１２５２、印刷設定項目１３１２及び「出力品位の合計値１２５５」からなる。印刷データ１２２０はその時に印刷が行われた画像のデータである。図７に示す例では、ユーザＩＤが「Ａ０００１」のユーザが過去に印刷を行った複数の画像が画像ａ、画像ｂ、・・・画像ｚであり、印刷履歴（ａ）を画像ａの印刷データと対応させ、印刷履歴（ｂ）を画像ｂの印刷データと対応させ、・・・印刷履歴（ｚ）を画像ｚの印刷データと対応させて保存されている。
【００３０】
また、過去に印刷を行った履歴である印刷履歴１２１０は、図８に示すユーザの印刷履歴の構成となっている。
図８は、第１の実施の形態に関するユーザの印刷履歴の説明図である。印刷履歴１２１０は、装置固有の情報１３１１、印刷日情報１２５２、印刷設定項目１３１２の設定内容１３１３及び出力品位の合計値１２５５から構成される。そして、装置固有の情報１３１１は前述の装置ＩＤ、ロケーションからなり、印刷日情報１２５２は、過去に印刷が行われた年月日からなる。設定内容１３１３は、印刷の際にユーザにより設定された印刷品位、特色トナー、用紙種類及び画像処理効果からなる。出力品位の合計値１２５５は、設定された設定内容１３１３に基づく画像の出力品位１３１４の数値を合計した値である。
図８に示す印刷履歴１２１０は、装置ＩＤが「EC44F8BB-66AE」、ロケーション３００が「芝浦」の画像処理装置３１０によって、２０１５年５月２日に画像ａが印刷され、装置ＩＤが「48A864B5-805A」、ロケーション３００が「高崎」の画像処理装置３１０によって、２０１５年１月２６日に画像ｂが印刷され、更に、装置ＩＤが「614A4721-C679」、ロケーション３００が「福島」の画像処理装置３１０によって、２０１４年８月１７日に画像ｃが印刷されたことを示す。
【００３１】
従って、印刷履歴（ａ）は、印刷された装置固有の情報１３１１として、装置ＩＤが「EC44F8BB-66AE」であり、印刷されたロケーション３００が「芝浦」であり、印刷日情報１２５２として印刷された日付が「２０１５年５月２日」であることが保存されている。
更に、印刷設定項目１３１２の設定内容１３１３としては、印刷品位が「多諧調印刷」であり、特色トナーとして「クリアトナー」が設定され、用紙種類として「光沢紙」が設定され、画像処理効果として「標準」が設定されて印刷されたことが保存されている。
そして、出力品位の合計値１２５５は、装置ＩＤが「EC44F8BB-66AE」の画像処理装置３１０で印刷されているので、図６に示す装置情報（ａ）の出力品位１３１４に基づいて算出される。即ち、印刷品位が「多諧調印刷」に設定されているので、出力品位の合計値１２５５に「７０」が加算され、特色トナーとして「クリアトナー」が設定されているので出力品位の合計値１２５５に「２５」が加算される。更に、用紙種類として「光沢紙」が設定されているので出力品位の合計値１２５５に「３５」が更に加算され、画像処理効果は「標準」に設定されているので出力品位の合計値１２５５に加算はなく、計「１３０」が出力品位の合計値１２５５となり、この値が出力品位の合計値１２５５として保存されている。
【００３２】
同様に、印刷履歴（ｂ）では、印刷された装置固有の情報１３１１として、装置ＩＤが「48A864B5-805A」であり、印刷されたロケーション３００が「高崎」であり、印刷日情報１２５２として、印刷された日付が「２０１５年１月２６日」であることが保存されている。
更に、印刷設定項目１３１２の設定内容１３１３としては、印刷品位が「多諧調印刷」であり、特色トナーは設定されず、用紙種類として「上質紙」が設定され、画像処理効果として「風景補正」が設定されて印刷されたことが保存されている。
そして、出力品位の合計値１２５５は、装置ＩＤが「48A864B5-805A」の画像処理装置３１０で印刷されているので、図６に示す装置情報（ｂ）の出力品位１３１４に基づいて算出される。即ち、印刷品位が「多諧調印刷」に設定されているので、出力品位の合計値１２５５に「６０」が加算され、特色トナーは設定されていないので出力品位の合計値１２５５に加算はされない。更に、用紙種類として「上質紙」が設定されているので出力品位の合計値１２５５に「２０」が更に加算され、画像処理効果として「人物補正」が設定されているので出力品位の合計値１２５５に「１０」が更に加算され、計「９０」が出力品位の合計値１２５５となり、この値が出力品位の合計値１２５５として保存されている。
【００３３】
同様に、印刷履歴（ｃ）では、印刷された装置固有の情報１３１１として、装置ＩＤが「614A4721-C679」であり、印刷されたロケーションが「福島」であり、印刷日情報１２５２として、印刷された日付が「２０１４年８月１７日」であることが保存されている。
更に、印刷設定項目１３１２の設定内容１３１３としては、印刷品位が「きれい」であり、特色トナーは設定されず、用紙種類として「普通紙」が設定され、画像処理効果として「標準」が設定されて印刷されたことが保存されている。
そして、出力品位の合計値１２５５は、装置ＩＤが「614A4721-C679」の画像処理装置３１０で印刷されているので、図６に示す装置情報（ｃ）の出力品位１３１４に基づいて算出される。即ち、印刷品位が「きれい」に設定されているので、出力品位の合計値１２５５に「４０」が加算され、特色トナーは設定されていないため出力品位の合計値１２５５に加算はされない。更に、用紙種類として「普通紙」が設定されているので出力品位の合計値１２５５に「１０」が更に加算され、画像処理効果は「標準」に設定されているので出力品位の合計値１２５５に加算はなく、計「５０」が出力品位の合計値１２５５となり、この値が出力品位の合計値１２５５として保存されている。
このように、これまでに印刷された過去の印刷履歴１２１０が印刷データ１２２０と対応付けられてユーザごとに印刷履歴格納部２５０に保存される構成となっている。
【００３４】
以上の構成により第１の実施の形態に関する画像処理システム１０００及び画像処理装置３１０は以下のように動作する。
図９は、第１の実施の形態に関する画像処理システムの動作フローチャートである。尚、本フローチャートでは画像処理装置３１０の動作をステップＳｐ、クラウドストレージ２００の動作をステップＳｃとして表している。以下、第１の実施の形態に関する画像処理システム１０００及び画像処理装置３１０の動作を、図９に示す動作フローチャート及び図１０〜図１９に示すユーザ操作部３２１に表示される画面例の説明図を都度用いて説明する。
【００３５】
Ｓｐ０１：先ず、画像処理装置３１０の制御部３２０は、画面表示部３１５に対し、ユーザ認証を行うか否かをユーザが選択するためにユーザ認証ダイアログボックス８００をユーザ操作部３２１に表示するよう指示する。図１０は、第１の実施の形態に関するユーザ認証ダイアログボックスの画面例の説明図である。
このユーザ認証ダイアログボックス８００には、印刷履歴を利用するためのユーザ認証を行う場合に選択するラジオボタン８１０と、印刷履歴を利用せずユーザ認証を行わない場合に選択するラジオボタン８２０が表示される。ラジオボタン８１０の近傍には、ユーザ認証を行ってログオンすることにより、印刷履歴を用いて、印刷したことのある写真をより高品位に印刷できる旨のガイダンスが表示される。即ち、「ログインすることにより、印刷履歴を取得し、印刷したことのある写真をより高品位に印刷出力できます」と表示される。
【００３６】
そして、ユーザがユーザ認証を行い、印刷履歴を利用することを所望する場合は、ユーザはラジオボタン８１０を選択してユーザＩＤ及びパスワードを入力し、ＯＫボタン８３０を押下する。
すると、画像処理装置３１０の制御部３２０は、通信インタフェース３１２に対し、入力されたユーザＩＤ及びパスワードをネットワーク１００を経由してクラウドストレージ２００に送出するよう指示する。
Ｓｃ０１：クラウドストレージ２００のストレージ制御部２１０は、通信インタフェース２２０に対し、ユーザＩＤ及びパスワードを受信するよう指示する。そして、ストレージ制御部２１０は、ユーザ情報格納部２３０を参照して認証処理を行う。即ち、ユーザＩＤがユーザ情報格納部２３０にあり、そのパスワードが一致するか否かのユーザ認証を行う。そして、ストレージ制御部２１０は、通信インタフェース２２０に対し、認証結果をネットワーク１００を経由して画像処理装置３１０に送信するよう指示する。このユーザ認証が完了すると、画像処理装置３１０は、クラウドストレージ２００に保存されている印刷履歴を参照することが可能となる。
一方、ステップＳｐ０１において、ユーザが印刷履歴を参照しないで、ユーザが持参した図示しない外部装置の印刷データを用いて印刷を所望するときは、ユーザはラジオボタン８２０を選択してＯＫボタン８３０を押下する。
【００３７】
Ｓｐ０２：ユーザ認証ダイアログボックス８００のラジオボタン８１０の選択及びラジオボタン８２０の選択のいずれの場合も、ユーザによりＯＫボタン８３０が押下されると、画像処理装置３１０の制御部３２０は、画面表示部３１５に対し、印刷データを選択するための印刷データ選択ダイアログボックス５００を表示するよう指示する。
図１１〜図１３は、第１の実施の形態に関する印刷データ選択ダイアログボックスの画面例の説明図である。印刷データ選択ダイアログボックス５００は、図１１並びに図１２及び図１３に示すように２種類の形態をとり得る。即ち、一方は図１１に示すように、外部ストレージインタフェース３１１に接続された図示しない外部装置に保存されている印刷データを用いる場合であり、他方は図１２及び図１３に示すように、クラウドストレージ２００に保存されている前述の印刷履歴管理情報１２００（図７参照）を用いる場合である。
【００３８】
図１１〜図１３において、画面切替タブ５１０は、印刷する印刷データの所在を切替えるものである。まず、一方の図１１に示す印刷データ選択ダイアログボックス５００は、画面切替タブ５１０の「ローカル」タブを選択した場合に表示される操作画面である。画像処理装置３１０の制御部３２０は、画面操作部３１６に対し、ユーザによる「ローカル」タブの選択を受付けるよう指示する。ユーザが「ローカル」タブを選択するときはステップＳｐ０３へ進む。
【００３９】
他方の図１２及び図１３に示す印刷データ選択ダイアログボックス５００は、画面切替タブ５１０の「履歴」タブを選択した場合に表示される操作画面である。画像処理装置３１０の制御部３２０は、画面操作部３１６に対し、ユーザによる「履歴」タブの選択を受付けるよう指示する。ユーザが「履歴」タブを選択するときは、ステップＳｐ０４へ進む。
なお、印刷データ選択ダイアログボックス５００の履歴一覧ビュー５７０には、後のステップＳｐ０７において、クラウドストレージ２００の印刷履歴格納部２５０からユーザＩＤに該当する印刷履歴管理情報１２００の印刷履歴１２１０及び印刷データ１２２０が読み出されて表示される。即ち、履歴一覧ビュー５７０には、後述するように検索条件に合致した順番（図１２は日付順及び図１３は「より綺麗順」である）に並べ替えた履歴一覧が表示される。
また、ステップＳｐ０１のユーザ認証ステップにおいて、図１０に示すラジオボタン８２０を選択しユーザ認証を行わない場合は、印刷履歴１２１０及び印刷データ１２２０を使用できないので、図１１に示す印刷データ選択ダイアログボックス５００は、画面切替タブ５１０の「ローカル」タブのみを表示し、「履歴」タブを表示しないようにしてもよい。
【００４０】
Ｓｐ０３：ステップＳｐ０２において表示された印刷データ選択ダイアログボックス５００により、ユーザが画面切替タブ５１０の「ローカル」タブを選択したときは、画像処理装置３１０の制御部３２０は、画面表示部３１５に対し、外部装置を接続するためのガイダンス９９０を表示するよう指示する。図１４は、第１の実施の形態に関する外部装置を接続するときのガイダンスの表示例の説明図である。
図１４に示すガイダンスの表示例では、ＵＳＢメモリによる有線接続による印刷の場合の接続方法のガイダンス９９１及び携帯情報端末又は携帯電話のBluetooth(登録商標）による無線通信による印刷の場合の接続方法のガイダンス９９２を示す。
ガイダンス９９１は「以下のように、持参した外部装置を外部ストレージインタフェースに接続してください。」と表示する。そして、ガイダンス９９２は「以下のように、持参した外部装置を外部ストレージインタフェースにかざしてください。」と表示する。このほかの可能な接続方法も表示するようにしてもよい。
【００４１】
そして、ユーザがガイダンスに従い外部装置を接続すると、画像処理装置３１０の制御部３２０は、外部ストレージインタフェース３１１に対し、外部装置の印刷データを読み込むよう指示する。
その後、ステップＳｐ０７に進んで、画像処理装置３１０の制御部３２０は、画面表示部３１５に対し、読み込んだ印刷データの一覧を前述の図１１に示す印刷データ選択ダイアログボックス５００の印刷データ一覧ビュー５２０に列挙するよう指示する。印刷データ一覧ビュー５２０には、外部ストレージインタフェース３１１に接続された外部装置に読み出された印刷データの一覧が表示される。図１１に示す画面例では、画像Ａ〜画像Ｄが画像欄５２０ａに一覧として表示されている。なお、スクロールバー５２０ｂの操作により、画像欄５２０ａに表示しきれない画像も表示することができる。以後はステップＳｐ０８へ進む。
【００４２】
Ｓｐ０４：一方、ステップＳｐ０２において表示された印刷データ選択ダイアログボックス５００により、ユーザが印刷履歴を使用して印刷を所望するときは、ユーザは画面切替タブ５１０の「履歴」タブを選択する。すると、画像処理装置３１０の制御部３２０は画面操作部３１６に対し、「履歴」タブの選択を受信するよう指示する。そして、画像処理装置３１０の制御部３２０は通信インタフェース３１２に対し、その画像処理装置３１０の装置情報をネットワーク１００を経由してクラウドストレージ２００に送信するよう指示する。
即ち、前述の図６に示す装置情報１３１０として、画像処理装置３１０を識別するための装置ＩＤ、画像処理装置３１０の機種名としてのプリンタ情報及び配置場所を示すロケーション３００並びに画像処理装置３１０に対して設定可能な印刷設定項目１３１２及びその設定内容１３１３ごとの出力品位１３１４の数値を含んでクラウドストレージ２００に送信される。
【００４３】
Ｓｃ０２：クラウドストレージ２００のストレージ制御部２１０は、通信インタフェース２２０に対し、画像処理装置３１０の装置情報を受信するよう指示する。そして、装置情報格納部２４０に対し、受信した装置情報を今回使用されている画像処理装置３１０の装置情報として保存するよう指示する。このとき、装置情報格納部２４０に既に同じ装置ＩＤの装置情報がある場合は、これに上書きして更新するのがよい。
Ｓｐ０５：続いて、画像処理装置３１０の制御部３２０は、画面操作部３１６に対し、図１２及び図１３に示す印刷データ選択ダイアログボックス５００のラジオボタン５６０により選択されている検索条件（日付順又はより綺麗順）を受信するよう指示する。そして、通信インタフェース３１２に対し、選択されている検索条件（日付順又はより綺麗順）をクラウドストレージ２００に送信するよう指示する。
即ち、ラジオボタン５６０によって「最近印刷した順で表示」が選択されている場合は、検索条件として「日付順」を送信するよう指示し、「より綺麗に印刷される順で表示」が選択されている場合は、検索条件として「より綺麗順」をクラウドストレージ２００に送信するよう指示する。
【００４４】
Ｓｃ０３：すると、クラウドストレージ２００のストレージ制御部２１０は、通信インタフェース２２０に対し、この検索条件（日付順又はより綺麗順）を受信するよう指示する。
Ｓｃ０４：そして、クラウドストレージ２００のストレージ制御部２１０は、受信した検索条件に従い、認証されたユーザＩＤに基づいて印刷履歴格納部２５０に保存された印刷履歴を検索し、検索条件に合致した順番に並べ替えた履歴一覧を作成する。
例えば、検索条件として「日付順」が送信されてきた場合は、クラウドストレージ２００のストレージ制御部２１０は、印刷履歴格納部２５０に保存されている認証済のユーザＩＤの印刷履歴から、印刷履歴１２１０の印刷日が新しいものから順番に印刷履歴を取得する。
図８に示す印刷履歴１２１０の例では、印刷日の新しい印刷履歴（ａ）、印刷履歴（ｂ）、印刷履歴（ｃ）の順番で印刷履歴を取得し履歴一覧を作成する。尚、この履歴一覧は、印刷履歴１２１０とその印刷履歴に対応する印刷データ１２２０から構成される。
【００４５】
一方、検索条件として「より綺麗順」が送信されてきた場合は、まず、クラウドストレージ２００のストレージ制御部２１０は、今回使用されている画像処理装置３１０において、適用可能な印刷設定により実現可能な出力品位の合計値１２５５を、その画像処理装置３１０の装置情報１３００から算出する。一方、印刷履歴格納部２５０に保存されているユーザＩＤの複数の印刷履歴１２１０から、「出力品位の合計値１２５５」を参照する。そして、画像処理装置３１０の実現可能な出力品位の合計値１２５５と、各印刷履歴１２１０の「出力品位の合計値１２５５」が比較される。
当該画像処理装置３１０で印刷することにより、出力品位の合計値１２５５の向上が見込まれる場合は、出力品位の合計値１２５５が向上する幅が大きい印刷履歴１２１０を優先し、順番に印刷履歴を取得する。そして、取得した印刷履歴に基づいて画像処理装置３１０に表示させるための履歴一覧を作成する。
【００４６】
例えば、ロケーション３００が「高崎」の画像処理装置３１０を用いて印刷する場合では、検索条件として「より綺麗順」で印刷履歴を取得して、以下のように履歴一覧を作成する。
先ず、実現可能な出力品位の合計値１２５５を算出するために、装置情報格納部２４０から該当する装置情報１３１０を取得する。即ち、ロケーション３００が「高崎」で、プリンタ情報「Ｃ４４４４」の画像処理装置３１０を用いて印刷する場合は、該当する装置情報１３１０は、装置情報格納部２４０から図６に示す装置情報（ｂ）として取得される。
この取得された装置情報（ｂ）から実現可能な出力品位の合計値１２５５を計算すると、印刷品位では多諧調印刷の出力品位１３１４が「６０」と最も高く、特色トナーではクリアトナーの出力品位１３１４が「２５」と最も高く、用紙種類では光沢紙の出力品位１３１４が「３５」と最も高く、画像処理効果では人物補正の出力品位１３１４が「１０」と。これらを合計すると、実現可能な出力品位の合計値１２５５は「１３０」となる。
【００４７】
一方、印刷履歴格納部２５０に保存された当該ユーザＩＤの印刷履歴である図８の印刷履歴を参照すると、印刷履歴（ａ）の出力品位の合計値１２５５が「１３０」で、印刷履歴（ｂ）の出力品位の合計値１２５５が「９０」で、印刷履歴（ｃ）の出力品位の合計値１２５５が「５０」となっている。
従って、今回、ロケーション３００が「高崎」でプリンタ情報が「Ｃ４４４４」の画像処理装置３１０を用いて印刷する場合、印刷履歴（ａ）からでは出力品位の合計値１２５５の向上はなく、印刷履歴（ｂ）からでは「９０」→「１３０」に出力品位の合計値１２５５が向上し、印刷履歴（ｃ）からでは「５０」→「１３０」に出力品位の合計値１２５５が向上することになる。
【００４８】
このように、印刷しようとするロケーション３００の画像処理装置３１０において、出力品位の合計値１２５５の向上が見込まれる場合は、出力品位の合計値１２５５が向上する幅が大きい印刷履歴１２１０を優先し、印刷履歴（ｃ）、印刷履歴（ｂ）、印刷履歴（ａ）の順番で印刷履歴を取得する。そして、取得した印刷履歴の順番に基づいて履歴一覧を作成する。
尚、検索条件として、「日付順」、「より綺麗順」のいずれかによる順番で印刷履歴を取得して履歴一覧を作成するように説明したが、検索条件が設定されないときは、印刷履歴格納部２５０に保存された順番のままに印刷履歴を取得して履歴一覧を作成するようにしてもよい。
【００４９】
Ｓｃ０５：そして、クラウドストレージ２００のストレージ制御部２１０は、通信インタフェース２２０に対し、検索条件（日付順又はより綺麗順）に従い、以上のように作成した履歴一覧を画像処理装置３１０に返信するよう指示する。
【００５０】
Ｓｐ０６：画像処理装置３１０の制御部３２０は、通信インタフェース３１２に対し、クラウドストレージ２００から送信されてきた履歴一覧を受信するよう指示する。
Ｓｐ０７：次に、画像処理装置３１０の制御部３２０は、画面表示部３１５に対し、受信した履歴一覧を図１２又は図１３に示すように履歴一覧ビュー５７０に表示するよう指示する。
即ち、ユーザによって、ラジオボタン５６０の「最近印刷した順で表示」が選択された場合では、クラウドストレージ２００から、印刷日の新しい順に印刷履歴１２１０とその印刷データ１２２０が履歴一覧として送信されてくる。従って、図１２に示す履歴一覧ビュー５７０に印刷履歴（ａ）に対応する印刷データの画像（ａ）、印刷履歴（ｂ）に対応する印刷データの画像（ｂ）、更に、図示していないが印刷履歴（ｃ）に対応する印刷データの画像（ｃ）の順に画像欄５７０ａに表示する。尚、画像表示はサムネイル表示とするのがよい。
同時に、表示欄５７０ｂに各画像の印刷日及びロケーション等を表示するとともに、表示欄５７０ｃには、出力品位の合計値１２５５を最大限に向上させる適用可能な印刷設定項目１３１２の設定内容１３１３及び実現可能な出力品位の合計値１２５５を表示する。
【００５１】
例えば、前述のように、ロケーション３００が「高崎」の画像処理装置３１０を用いて印刷する場合では、実現可能な出力品位の合計値１２５５は「１３０」であり、印刷履歴（ａ）の出力品位の合計値１２５５が「１３０」で、印刷履歴（ｂ）の出力品位の合計値１２５５が「９０」で、印刷履歴（ｃ）の出力品位の合計値１２５５が「５０」である。従って、印刷履歴（ａ）に対応する画像（ａ）の印刷では出力品位の合計値１２５５の向上はなく、印刷履歴（ｂ）に対応する画像（ｂ）の印刷では「９０」→「１３０」に出力品位の合計値１２５５が向上し、印刷履歴（ｃ）に対応する画像（ｃ）の印刷では「５０」→「１３０」に出力品位の合計値１２５５が向上する。
この場合、図１２に示す印刷履歴（ａ）に対応する画像（ａ）の表示欄５７０ｃには、出力品位の合計値１２５５が向上する設定内容１３１３はなく、適用可能な印刷設定には、「特になし」と表示し、その出力品位の合計値１２５５が「１３０」であることを表示する。
【００５２】
図１２に示す印刷履歴（ｂ）に対応する画像（ｂ）の表示欄５７０ｃには、印刷履歴（ｂ）での印刷では、「クリアトナー」と「光沢紙」を使用していなかつた。しかしながら、今回印刷しようとしているロケーション３００が「高崎」の画像処理装置３１０では、図６に示す装置情報（ｂ）を参照すと、「クリアトナー」と「光沢紙」が適用可能な印刷設定であることが分かる。従って、適用可能な設定内容１３１３には「クリアトナー」及び「光沢紙」を表示し、その設定内容１３１３にしたときの出力品位の合計値１２５５である「１３０」を表示する。
【００５３】
同様に、図示していないが、印刷履歴（ｃ）に対応する画像（ｃ）の表示欄５７０ｃには、印刷履歴（ｃ）での印刷では、「多諧調印刷」、「クリアトナー」、「光沢紙」及び「画像処理効果」を使用していなかつた。しかしながら、今回印刷しようとしているロケーション３００が「高崎」の画像処理装置３１０では、図６に示す装置情報（ｂ）を参照すと、「多諧調印刷」、「クリアトナー」、「光沢紙」及び「人物補正」が適用可能な設定内容１３１３であるとする。従って、適用可能な設定内容１３１３には「多諧調印刷」、「クリアトナー」、「光沢紙」及び「人物補正」が表示され、その設定内容１３１３にしたときの出力品位の合計値１２５５である「１３０」を表示する。
【００５４】
一方、ユーザによって、ラジオボタン５６０の「より綺麗に印刷される順で表示」が選択されている場合では、クラウドストレージ２００から、出力品位の合計値１２５５がより向上する順に印刷履歴が履歴一覧として送信されてくる。従って、履歴一覧ビュー５７０には、図１３に示すように画像欄５７０ａに、印刷履歴（ｃ）に対応する画像（ｃ）、印刷履歴（ｂ）に対応する画像（ｂ）、更に、図示していないが印刷履歴（ａ）に対応する画像（ａ）の順に表示する。
このとき、図１２に示す日付順の表示の場合と同様に、各画像について、表示欄５７０ｂに印刷日及びロケーション等を表示し、表示欄５７０ｃに出力品位の合計値１２５５を最大限に向上させる適用可能な印刷設定項目１３１２の設定内容１３１３及び実現可能な出力品位の合計値１２５５を表示する。
【００５５】
図１３に示す表示例では、画像（ｃ）を過去に印刷したロケーション３００が「福島」の画像処理装置３１０では、「多諧調印刷」「クリアトナー」、「光沢紙」及び「人物補正」を使用して印刷していなかつた。しかしながら、今回印刷しようとしているロケーション３００が「高崎」の画像処理装置３１０では、図６に示す装置情報（ｂ）を参照することにより、「多諧調印刷」「クリアトナー」、「光沢紙」及び「人物補正」が適用可能な印刷設定項目１３１２であることが分かる。従って、これらの項目を表示欄５７０ｃに表示し、更に印刷での出力品位の合計値１２５５及び今回の設定で向上する出力品位の合計値１２５５を、「５０」→「１３０」として表示する。
【００５６】
また、画像（ｂ）を印刷したときのロケーション３００が「高崎」の画像処理装置３１０では、「クリアトナー」、「光沢紙」を使用して印刷していなかつた。しかしながら、今回印刷しようとしているロケーション３００が「高崎」の画像処理装置３１０では、図６に示す装置情報（ｂ）を参照することにより、「クリアトナー」、「光沢紙」が適用可能な印刷設定項目１３１２であることが分かる。従って、これらの項目を表示欄５７０ｃに表示し、更に過去の印刷における出力品位の合計値１２５５及び今回の設定で向上する出力品位の合計値１２５５を、「９０」→「１３０」として表示する。
【００５７】
また、図示していないが、画像（ａ）を印刷したときのロケーション３００が「芝浦」の画像処理装置３１０では、出力品位の合計値１２５５が向上する印刷設定項目１３１２の設定内容１３１３をすべて設定している。従って、今回出力品位の合計値１２５５が向上する設定内容１３１３はなく、適用可能な設定内容１３１３は、「特になし」と表示欄５７０ｃに表示し、その出力品位の合計値１２５５が「１３０」であることを表示する。
【００５８】
尚、以上の図１２、図１３に示す印刷データ選択ダイアログボックス５００への表示の説明では、クラウドストレージ２００から送信されてきた履歴一覧に基づいて、すべての画像を選択可能に表示するように説明した。しかしながら、過去に印刷したときの出力品位の合計値１２５５よりも、今回の画像処理装置３１０により印刷した場合に、出力品位の合計値１２５５が向上する画像のみを表示するようにしてもよい。或いは、クラウドストレージ２００が、出力品位の合計値１２５５が向上する画像のみ履歴一覧に含め、画像処理装置３１０に送信するようにしてもよい。
【００５９】
Ｓｐ０８：次に、ユーザは、図１２又は図１３に示す印刷データ選択ダイアログボックス５００によって印刷したい印刷データを選択する。この選択は、スクロールバー５７０ｄによって画像欄５７０ａを移動させて表示し、所望とする画像欄５７０ａをクリックすることにより行う。尚、スクロールバー５７０ｄを設けずに画面の一部をタッチし画面を移動させることによりスクロールさせるようにしてもよい。画像処理装置３１０の制御部３２０は、画面操作部３１６に対し、ユーザによる印刷データの選択を受信するよう指示する。
【００６０】
Ｓｐ０９：そして、ユーザは、図１１〜図１３に示す印刷データ選択ダイアログボックス５００において、印刷設定ボタン５５０を押下することにより印刷設定を行う。画像処理装置３１０の制御部３２０は、画面操作部３１６に対し、ユーザによる印刷設定ボタンの押下を受信するよう指示する。
【００６１】
図１５は、第１の実施の形態に関する印刷設定ダイアログボックスの画面例の説明図である。この印刷設定ダイアログボックス７００は、今回使用している画像処理装置３１０において設定可能な印刷設定が選択可能に表示される。
図１５に示す例は、今回使用している画像処理装置３１０が、図６に示す装置情報（ｂ）のロケーション３００が「高崎」の画像処理装置３１０である場合の例であり、印刷設定項目１３１２としての「印刷品位」７１０、「特色トナー」７２０、「用紙種類」７３０、「画像処理効果」７４０が選択可能に表示される。
【００６２】
そして、更に、「印刷品位」７１０では、設定内容１３１３としての「粗い」、「ふつう」、「きれい」、「多諧調印刷」が選択可能に表示されている。また、「特色トナー」７２０では設定内容１３１３としての「クリアトナー」のみが選択可能であり、「用紙種類」７３０では設定内容１３１３としての「普通紙」、「上質紙」、「光沢紙」が選択可能に表示されている。また、「画像処理効果」７４０では、設定内容１３１３としての「標準」、「風景補正」、「人物補正」、「鮮やか」、「セピア」及び「モノクローム」が選択可能に表示される。
【００６３】
そして、ユーザは、各印刷設定項目１３１２の設定内容１３１３のラジオボタン又はチェックボックスによって所望の内容を選択する。
尚、人物補正７４１のチェックボックスが選択されたときは、人物補正の詳細を選択できるように人物補正の選択ついての印刷設定ダイアログボックス９００を表示する。
【００６４】
図１６は、第１の実施の形態に関する印刷設定ダイアログボックスの人物補正の選択画面例の説明図である。図１６に示す印刷設定ダイアログボックス９００のチェックボックス９１０には、今回の画像処理装置３１０の人物補正において選択可能な項目が表示される。例えば、小顔処理を含む「顔の輪郭の調整」、「顔の照明の調整」、「しわ、吹き出物、しみ等の除去」、更には、「目の拡大を含む目、唇の形又は色の調整」、そして花又は星等の追加による「背景の追加」が表示される。
ユーザは、所望する人物補正をチェックボックス９１０によって選択した後、ＯＫボタン９２０を押下する。すると、選択された補正項目が保持されて図１５の印刷設定ダイアログボックス７００に戻る。一方、キャンセルボタン９３０が押下された場合は、チェックボックス９１０によって選択された内容をリセットし、図１５に示す印刷設定ダイアログボックス７００に戻る。
【００６５】
また、図１５に示す風景補正７４２のチェックボックスが選択されたときは、風景補正の詳細を選択できるように風景補正の選択ついての印刷設定ダイアログボックス９５０を表示する。
図１７は、第１の実施の形態に関する印刷設定ダイアログボックスの風景補正の選択画面例の説明図である。図１７に示す風景補正の印刷設定ダイアログボックス９５０のチェックボックス９６０には、今回の画像処理装置３１０において選択可能な項目が表示される。例えば、「彩度、コントラストの調整」、「クラシック調」、「カラーバランス、レベル補正、トーンカーブによる調整」、「ノイズ除去」、更には複数枚の画像を合成して原画像より高いダイナミックレンジとする「ＨＤＲ（high dynamic range imaging）処理」９６１が選択可能に表示される。尚、「ＨＤＲ処理」９６１が選択されたときは、印刷データ選択ダイアログボックス５００によって複数の画像を選択できるようにするとよい。
【００６６】
ユーザは、所望とする風景補正の項目をチェックボックス９６０によって選択した後、ＯＫボタン９７０を押下すると、選択された補正項目が保持されて図１５に示す印刷設定ダイアログボックス７００に戻る。一方、キャンセルボタン９８０が押下された場合は、チェックボックス９６０によって選択された内容をリセットし、図１５に示す印刷設定ダイアログボックス７００に戻る。
【００６７】
そして、図１５に示す印刷設定ダイアログボックス７００において、ＯＫボタン７５０が押下されると印刷設定ダイアログボックス７００によって選択された内容を印刷設定とし、図１１〜図１３に示す印刷データ選択ダイアログボックス５００の表示画面に戻る。一方、キャンセルボタン７６０が押下されると印刷設定として選択された内容はリセットされ、図１１〜図１３に示す印刷データ選択ダイアログボックス５００の表示画面に戻る。
また、図１２又は図１３に示す印刷データ選択ダイアログボックス５００において、プレビューボタン５８０を押下することにより、選択された画像を印刷したときのプレビューを表示させることができる。
【００６８】
この場合、画像処理装置３１０の制御部３２０は、画面表示部３１５に対し、ステップＳｐ０８において選択された画像のプレビューダイアログボックス６００を表示するよう指示する。図１８は、第１の実施の形態に関するプレビューダイアログボックスの画面例の説明図である。
図１８において、プレビュー６２０には第１の印刷プレビューとして過去の印刷の際に設定されていた印刷設定による印刷プレビューを「以前の印刷結果」として表示する。一方、プレビュー６３０には第２の印刷プレビューとして今回設定する印刷設定による印刷プレビューを「設定を適用したときの印刷結果」として表示する。チェックボックス６１０は、印刷設定を切替えるものであり、その印刷設定の効果がプレビュー６３０にリアルタイムで反映される。
【００６９】
図１８に示す表示例のチェックボックス６１０は、図１３に示す画像（ｃ）を選択した場合の例であり、図１３に示す画像（ｃ）の表示欄５７０ｃに表示されている適用可能な印刷設定がそのまま「おすすめ設定」として表示される。即ち、今回使用しているロケーション３００が「高崎」の画像処理装置３１０では、設定内容１３１３が「多諧調印刷」、「クリアトナー」、「光沢紙」、「人物補正」の選択が可能であり、これらのチェックボックスが「おすすめ設定」として最初に表示される。そして、チェックボックス６１０を操作して印刷設定を切替えることにより、その印刷設定の効果がプレビュー６３０にリアルタイムで反映されるので、印刷設定の効果を容易に確認することができる。
【００７０】
尚、人物補正６１１のチェックボックスについては、これが選択されたときは、前述の図１６の人物補正の選択画面を表示する。そして、ユーザは、所望とする人物補正をチェックボックス９１０において選択した後、ＯＫボタン９２０を押下すると、選択された補正項目が保持されて図１８に示すプレビューダイアログボックス６００に戻る。このとき、チェックボックス９１０によって選択された人物補正の効果がプレビュー６３０に反映されて表示される。一方、キャンセルボタン９３０が押下された場合は、チェックボックス９１０によって選択された内容をリセットし、図１８に示すプレビューダイアログボックス６００に戻る。
そして、図１８に示すプレビューダイアログボックス６００によって適用ボタン６４０が押下されると、チェックボックス６１０によって選択された内容を印刷設定として保持し、プレビューダイアログボックス６００を終了する。
一方、キャンセルボタン６５０が押下された場合は、チェックボックス６１０によって選択された内容を破棄しプレビューダイアログボックス６００を終了する。
【００７１】
Ｓｐ１０：次に、図１１〜図１３に示す印刷データ選択ダイアログボックス５００において、ユーザにより印刷ボタン５３０が押下されると、画像処理装置３１０の制御部３２０は、印刷実行部３１７に対し、ステップＳｐ０９において設定された印刷設定に基づいて、選択された印刷データの印刷を実行するよう指示する。一方、キャンセルボタン５４０が押下された場合は、印刷を実行せずに本処理を終了する。
【００７２】
Ｓｐ１１：そして、ステップＳｐ１０において、画像処理装置３１０の印刷が実行された場合は、制御部３２０は、通信インタフェース３１２に対し、印刷履歴管理情報１２００の元データとなる今回の印刷における装置固有の情報１３１１、印刷日情報１２５２、設定された印刷設定及び出力品位の合計値１２５５を、印刷履歴としてクラウドストレージ２００に送信するよう指示する。
このとき、この印刷履歴をクラウドストレージ２００に送信するかどうかをユーザが選択できるようにしてもよい。図１９は、第１の実施の形態に関する印刷履歴の送信選択のガイダンスの表示例の説明図である。
【００７３】
図１９に示す表示例では、ラジオボタン１１２０と、ラジオボタン１１３０を選択可能に表示する。また、ラジオボタン１１２０の近傍に「今回の印刷履歴を、次回以降も利用する」を表示し、ラジオボタン１１３０の近傍に「今回の印刷履歴を、次回以降利用しない」を表示する。更に「次回以降も利用する」を選択すれば、次回以降印刷するときに、再度、更に高品質に印刷することができる旨のガイダンス１１１０を表示する。
そして、「今回の印刷履歴を、次回も利用する」を選択するラジオボタン１１２０が選択されてＯＫボタン１１４０が押下されたときのみ、印刷履歴をクラウドストレージ２００に送信する。
【００７４】
尚、画像処理装置３１０の外部ストレージインタフェース３１１に接続された図示しない外部装置に保存されている印刷データをステップＳｐ０３において取得し、印刷実行した場合は、印刷履歴とともにその印刷データもクラウドストレージ２００に送信することも可能である。この場合、送信の際に、ユーザ登録画面を表示して、ユーザ登録を行う。
図２０は、ユーザ登録ダイアログボックスの画面例の説明図である。ユーザ登録ダイアログボックス８５０にユーザＩＤ、パスワード入力欄８６０を表示してユーザが所望とするユーザＩＤ、パスワードの入力を促すとともに、ユーザ登録により今回以降の印刷履歴を使用した印刷ができる旨のガイダンス８７０を表示する。そして、ユーザＩＤ、パスワードが入力され、ユーザ登録が終了すると印刷データとともに印刷履歴をクラウドストレージ２００に送信する。
そして、ステップＳｐ１１の送信処理が終了すると、画像処理装置３１０は、本処理を終了し、ステップＳｐ０１のユーザ認証ダイアログボックス８００によるユーザ認証から新たに開始する。
【００７５】
Ｓｃ０６：一方、クラウドストレージ２００のストレージ制御部２１０は、通信インタフェース２２０に対し、画像処理装置３１０から印刷完了後に送信されてきた印刷履歴を受信するよう指示する。
Ｓｃ０７：そして、クラウドストレージ２００のストレージ制御部２１０は、印刷履歴格納部２５０に対し、受信した印刷履歴について、図７に示す印刷履歴管理情報１２００のように保存するよう指示する。このとき、過去の印刷の印刷履歴１２１０に今回の印刷履歴１２１０を上書きするようにしてもよい。
尚、外部ストレージを用いて印刷された場合は、クラウドストレージ２００は、ユーザ登録によって入力されたユーザＩＤ、パスワードをユーザ情報格納部２３０に図５に示すように追加登録するとともに、印刷履歴格納部２５０に図７に示すようにユーザＩＤごとに印刷履歴１２１０、印刷データ１２２０を保存する。以上の処理が終了すると、画像処理システム１０００及び画像処理装置３１０の動作を終了する。
【００７６】
以上のように、第１の実施の形態に関する画像処理システム１０００及び画像処理装置３１０によれば、過去に印刷したロケーション３００と異なるロケーション３００へ出向いた場合でも、過去に印刷した印刷データ１２２０を自ら保持することなく、過去に印刷した印刷データ１２２０を再度印刷することができる。更に、今回のロケーション３００に配置された画像処理装置３１０の性能、機能を把握していないユーザでも、過去の印刷よりも高品位に印刷することができる。
【００７７】
（第１の実施形態の変形例）
以上の第１の実施の形態に関する画像処理システム１０００及び画像処理装置３１０の説明では、印刷履歴格納部２５０から取得した印刷履歴１２１０及び印刷データ１２２０の順番について、クラウドストレージ２００において、画像処理装置３１０から送信されてくる検索条件に合致するように並べ替えて履歴一覧を作成するように説明した。しかしながら、クラウドストレージ２００では、認証されたユーザＩＤの印刷履歴１２１０及び印刷データ１２２０を取得しても並び替えを行わずにその全部を画像処理装置３１０に送信するようにし、画像処理装置３１０側において検索条件に合致するように印刷履歴の順番を並べ替えるようにしてもよい。
【００７８】
また、以上の第１の実施の形態に関する画像処理システム１０００及び画像処理装置３１０の説明では、今回の印刷に際し、出力品位の合計値１２５５を最大限に向上させる適用可能な印刷設定項目１３１２の設定内容１３１３の取得及び実現可能な出力品位の合計値１２５５の算出を、クラウドストレージ２００において行って、履歴一覧とともに画像処理装置３１０に送信するように説明した。しかしながら、出力品位の合計値１２５５を最大限に向上させる適用可能な印刷設定項目１３１２の設定内容１３１３の取得及び実現可能な出力品位の合計値１２５５の算出を、画像処理装置３１０において行って表示欄５７０ｃに表示するようにしてもよい。
【００７９】
更に、第１の実施の形態に関する画像処理システム１０００及び画像処理装置３１０の説明では、ロケーション３００ごとに１台の画像処理装置３１０を配置した構成として説明した。しかしながら、複数台の画像処理装置３１０を配置し、同じロケーション３００でも、異なる画像処理装置３１０で印刷するときに、過去の印刷履歴１２１０及び印刷データ１２２０を使用し、出力品位の合計値１２５５が向上する適用可能な印刷設定項目１３１２の設定内容１３１３を表示するようにしてもよい。
【符号の説明】
【００８０】
１００    ネットワーク
２００    クラウドストレージ
２３０    ユーザ情報格納部
２４０    装置情報格納部
２５０    印刷履歴格納部
３１０    画像処理装置
３１３    装置情報記憶部
３１７    印刷実行部
３２１    ユーザ操作部
５００    印刷データ選択ダイアログボックス
６００    プレビューダイアログボックス
１０００  画像処理システム
１２１０  印刷履歴
１２２０  印刷データ
１３１０  装置情報
【図１】
2017076244.tif 000003
【図２】
2017076244.tif 000004
【図３】
2017076244.tif 000005
【図４】
2017076244.tif 000006
【図５】
2017076244.tif 000007
【図６】
2017076244.tif 000008
【図７】
2017076244.tif 000009
【図８】
2017076244.tif 000010
【図９】
2017076244.tif 000011
【図１０】
2017076244.tif 000012
【図１１】
2017076244.tif 000013
【図１２】
2017076244.tif 000014
【図１３】
2017076244.tif 000015
【図１４】
2017076244.tif 000016
【図１５】
2017076244.tif 000017
【図１６】
2017076244.tif 000018
【図１７】
2017076244.tif 000019
【図１８】
2017076244.tif 000020
【図１９】
2017076244.tif 000021
【図２０】
2017076244.tif 000022